(57)【要約】【課題】  アンテナの性能低下を軽減し、電気特性の優れ、分割可能（分解・組立が自在であるよう）な反射鏡を有する反射鏡アンテナ装置を提供することを目的とする。【解決手段】  一次放射器又は副鏡が、焦点に配置された分割可能な反射鏡を有する反射鏡アンテナ装置において、前記反射鏡を構成し、前記一次放射器又は副鏡と正対する位置に配置された一体の中心部と、この一体の中心部の外形に接続された複数の端縁部とを備えたことを特徴とする反射鏡アンテナ装置である。【選択図】        図１
2013121127.tif 000002
【特許請求の範囲】
【請求項１】
一次放射器又は副鏡が焦点に配置された分割可能な反射鏡を有する反射鏡アンテナ装置において、前記反射鏡を構成し、前記一次放射器又は副鏡と正対する位置に配置され、外周の各頂点の隣り合うもの同士を結んだ形状が多角形である一体の中心部と、前記反射鏡を構成し、前記中心部における外周の二つの頂点ごとにそれぞれ接続された複数の端縁部とを備え、前記複数の端縁部は、前記中心部の外周の各頂点にて隣り合う箇所がそれぞれ接続されたものである反射鏡アンテナ装置。
【請求項２】
一次放射器又は副鏡が焦点に配置された分割可能な反射鏡を有する反射鏡アンテナ装置において、前記反射鏡を構成し、前記一次放射器又は副鏡と正対する位置に配置され、外周が多角形状の一体の中心部と、前記反射鏡を構成し、前記中心部の外周の辺にそれぞれ接続された複数の端縁部とを備え、前記複数の端縁部は、前記中心部の外周の各頂点にて隣り合う箇所がそれぞれ接続されたものである反射鏡アンテナ装置。
【請求項３】
前記反射鏡の外形に相当する部分の前記端縁部の長さは、前記中心部の外周の各頂点にて隣り合う箇所の前記端縁部の長さよりも、長いものである請求項１又は２に記載の反射鏡アンテナ装置。
【請求項４】
前記複数の端縁部は、前記中心部の外周の各頂点にて隣り合う箇所が、それぞれ接続具で接続されたものである請求項１〜３のいずれかに記載の反射鏡アンテナ装置。
【請求項５】
前記接続具は、前記反射鏡の鏡面側又は鏡面の反対面側で、前記一次放射器又は副鏡を支持するステーが接続されたものである請求項４に記載の反射鏡アンテナ装置。
【請求項６】
前記接続具は、前記複数の端縁部における前記中心部の外周の各頂点にて隣り合う箇所を固定する平板部分を有し、この平板部分から前記一次放射器又は副鏡側に突出、或いは、前記反射鏡の側方に突出し、前記ステーが固定される突出部分を有する請求項５に記載の反射鏡アンテナ装置。
【請求項７】
前記接続具は、前記突出部分が平板状であって、全体の外形がＴ字状である請求項６に記載の反射鏡アンテナ装置。
【請求項８】
前記接続具及び前記ステーは、一体である請求項５〜７のいずれかに記載の反射鏡アンテナ装置。
【請求項９】
前記中心部は、各辺の端部から辺の中心部分に向かって、前記端縁部側に張り出した形状である請求項１〜８のいずれかに記載の反射鏡アンテナ装置。
【請求項１０】
一次放射器又は副鏡が焦点に配置された分割可能な反射鏡を有する反射鏡アンテナ装置において、前記反射鏡を構成し、前記一次放射器又は副鏡と正対する位置に配置された一体の中心部と、この中心部の外形に接続された複数の鏡面部材であって、前記鏡面部材の前記反射鏡の外形に相当する部分の長さは、前記鏡面部材の隣り合う箇所の長さよりも、長いものである複数の端縁部とを備えた反射鏡アンテナ装置。
【請求項１１】
一次放射器又は副鏡が焦点に配置された分割可能な反射鏡を有する反射鏡アンテナ装置において、前記反射鏡を構成し、前記一次放射器又は副鏡と正対する位置に配置された一体の中心部と、この中心部の外形に接続された複数の端縁部とを備え、前記複数の端縁部は、前記中心部と接続された辺と連続する辺における前記端縁部同士が隣り合う箇所が接続された反射鏡アンテナ装置。
【請求項１２】
前記複数の端縁部は、隣り合う箇所が、それぞれ接続具で接続され、前記接続具は、前記隣り合う箇所を固定する平板部分を有し、この平板部分から前記一次放射器又は副鏡側に突出、或いは、前記反射鏡の側方に突出し、前記一次放射器又は副鏡を支持するステーが固定される突出部分を有する請求項１０又は１１に記載の反射鏡アンテナ装置。
【請求項１３】
前記中心部及び前記端縁部は、前記反射鏡の鏡面側と反対面側で、前記中心部に固定された第１屈曲状接続具と前記端縁部に固定された第２屈曲状接続具とが固定されることで接続され、前記第１屈曲状接続具及び前記第２屈曲状接続具は、互いの側に向かって屈曲した部分同士が固定される請求項１〜１２のいずれかに記載の反射鏡アンテナ装置。
【請求項１４】
前記第１屈曲状接続具は、前記中心部上に起立して固定された第１板状部材に、前記第２屈曲状接続具に向かって屈曲した部分と反対側が固定される請求項１３に記載の反射鏡アンテナ装置。
【請求項１５】
前記第２屈曲状接続具は、前記端縁部上に起立して固定された第２板状部材に、前記第１屈曲状接続具に向かって屈曲した部分と反対側が固定される請求項１３又は１４に記載の反射鏡アンテナ装置。
【発明の詳細な説明】
【技術分野】
【０００１】
この発明は、分割可能な反射鏡を有し、分割・分解と組立とが自在の反射鏡アンテナ装置に関するものである。
【背景技術】
【０００２】
従来、反射鏡アンテナ装置には、背面に補強や骨組みを有し、輸送するために分割された大型の主反射鏡を用いたものがある（例えば、特許文献１及び２）。また、比較的小型の反射鏡アンテナ装置に適用を想定したものには、反射鏡の径方向付近が分割されているもの（例えば、特許文献３〜６参照）や、反射鏡の中心付近が分割されているものがある（例えば、特許文献７及び８参照）。
【先行技術文献】
【特許文献】
【０００３】
【特許文献１】特開平６−３２６５１３号公報（第２図）
【特許文献２】特開２００４−１５９０９５号公報（第１図）
【特許文献３】特許第４１７７３７６号公報（第５図）
【特許文献４】実開昭６１−２３７１１号公報（第２図）
【特許文献５】特開平３−２７８７０２号公報（第１１図）
【特許文献６】特開平７−２７３５３８号公報（第１図）
【特許文献７】特開平７−２２８３５号公報（第３図）
【特許文献８】特開平６−７７７２５号公報（第１図）
【発明の概要】
【発明が解決しようとする課題】
【０００４】
しかし、一般的な寸法のビルなどの屋上に設置する場合、例えば、雨雲や遠方の物体を監視するレーダ装置に使用する反射鏡アンテナ装置では、主反射鏡の輸送や設置場所までの搬入を考慮して、部材を小型かつ少数にする必要があるが、従来の大型の反射鏡アンテナ装置では実現困難であるという課題があった。一方、従来の比較的小型の反射鏡アンテナ装置では、反射鏡の径方向及び近傍に分割すると、反射鏡部の製作、組立調整等に時間がかかる、反射鏡の電気的特性、鏡面精度に影響が出てくるといった課題があった。
【０００５】
この発明は、上記のような課題を解消するためになされたもので、アンテナの性能低下を軽減し、電気特性の優れ、分割可能（分解・組立が自在であるよう）な反射鏡を有する反射鏡アンテナ装置を提供することを目的とする。
【課題を解決するための手段】
【０００６】
請求項１の発明に係る反射鏡アンテナ装置は、一次放射器又は副鏡が焦点に配置された分割可能な反射鏡を有する反射鏡アンテナ装置において、前記反射鏡を構成し、前記一次放射器又は副鏡と正対する位置に配置され、外周の各頂点の隣り合うもの同士を結んだ形状が多角形である一体の中心部と、前記反射鏡を構成し、前記中心部における外周の二つの頂点ごとにそれぞれ接続された複数の端縁部とを備え、前記複数の端縁部は、前記中心部の外周の各頂点にて隣り合う箇所がそれぞれ接続されたものであることを特徴とするものである。
【０００７】
請求項２の発明に係る反射鏡アンテナ装置は、一次放射器又は副鏡が焦点に配置された分割可能な反射鏡を有する反射鏡アンテナ装置において、前記反射鏡を構成し、前記一次放射器又は副鏡と正対する位置に配置され、外周が多角形状の一体の中心部と、前記反射鏡を構成し、前記中心部の外周の辺にそれぞれ接続された複数の端縁部とを備え、前記複数の端縁部は、前記中心部の外周の各頂点にて隣り合う箇所がそれぞれ接続されたものであることを特徴とするものである。
【０００８】
請求項３の発明に係る反射鏡アンテナ装置は、前記反射鏡の外形に相当する部分の前記端縁部の長さが、前記中心部の外周の各頂点にて隣り合う箇所の前記端縁部の長さよりも、長いものである請求項１又は２に記載のものである。
【０００９】
請求項４の発明に係る反射鏡アンテナ装置は、前記複数の端縁部が、前記中心部の外周の各頂点にて隣り合う箇所が、それぞれ接続具で接続されたものである請求項１〜３のいずれかに記載のものである。
【００１０】
請求項５の発明に係る反射鏡アンテナ装置は、前記接続具が、前記反射鏡の鏡面側又は鏡面の反対面側で、前記一次放射器又は副鏡を支持するステーが接続されたものである請求項４に記載のものである。
【００１１】
請求項６の発明に係る反射鏡アンテナ装置は、前記接続具が、前記複数の端縁部における前記中心部の外周の各頂点にて隣り合う箇所を固定する平板部分を有し、この平板部分から前記一次放射器又は副鏡側に突出、或いは、前記反射鏡の側方に突出し、前記ステーが固定される突出部分を有する請求項５に記載のものである。
【００１２】
請求項７の発明に係る反射鏡アンテナ装置は、前記接続具の前記突出部分が平板状であって、全体の外形がＴ字状である請求項６に記載のものである。
【００１３】
請求項８の発明に係る反射鏡アンテナ装置は、前記接続具及び前記ステーが、一体である請求項５〜７のいずれかに記載のものである。
【００１４】
請求項９の発明に係る反射鏡アンテナ装置は、前記中心部が、各辺の端部から辺の中心部分に向かって、前記端縁部側に張り出した形状である請求項１〜８のいずれかに記載のものである。
【００１５】
請求項１０の発明に係る反射鏡アンテナ装置は、一次放射器又は副鏡が焦点に配置された分割可能な反射鏡を有する反射鏡アンテナ装置において、前記反射鏡を構成し、前記一次放射器又は副鏡と正対する位置に配置された一体の中心部と、この中心部の外形に接続された複数の鏡面部材であって、前記鏡面部材の前記反射鏡の外形に相当する部分の長さは、前記鏡面部材の隣り合う箇所の長さよりも、長いものである複数の端縁部とを備えたことを特徴とするものである。
【００１６】
請求項１１の発明に係る反射鏡アンテナ装置は、一次放射器又は副鏡が焦点に配置された分割可能な反射鏡を有する反射鏡アンテナ装置において、前記反射鏡を構成し、前記一次放射器又は副鏡と正対する位置に配置された一体の中心部と、この中心部の外形に接続された複数の端縁部とを備え、前記複数の端縁部は、前記中心部と接続された辺と連続する辺における前記端縁部同士が隣り合う箇所が接続されたことを特徴とするものである。
【００１７】
請求項１２の発明に係る反射鏡アンテナ装置は、前記複数の端縁部が、隣り合う箇所が、それぞれ接続具で接続され、前記接続具は、前記隣り合う箇所を固定する平板部分を有し、この平板部分から前記一次放射器又は副鏡側に突出し、前記一次放射器又は副鏡を支持するステーが固定される突出部分を有する請求項１０又はに記載のものである。
【００１８】
請求項１３の発明に係る反射鏡アンテナ装置は、前記中心部及び前記端縁部が、前記反射鏡の鏡面側と反対面側で、前記中心部に固定された第１屈曲状接続具と前記端縁部に固定された第２屈曲状接続具とが固定されることで接続され、前記第１屈曲状接続具及び前記第２屈曲状接続具は、互いの側に向かって屈曲した部分同士が固定される請求項１〜１２のいずれかに記載のものである。
【００１９】
請求項１４の発明に係る反射鏡アンテナ装置は、前記第１屈曲状接続具が、前記中心部上に起立して固定された第１板状部材に、前記第２屈曲状接続具に向かって屈曲した部分と反対側が固定される請求項１３に記載のものである。
【００２０】
請求項１５の発明に係る反射鏡アンテナ装置は、前記第２屈曲状接続具が、前記端縁部上に起立して固定された第２板状部材に、前記第１屈曲状接続具に向かって屈曲した部分と反対側が固定される請求項１３又は１４に記載のものである。
【発明の効果】
【００２１】
以上のように、請求項１及び２に係る発明によれば、分割可能な反射鏡であっても、端縁部同士が接続されているので、反射鏡の外形寄りの部分においても、高い鏡面精度を保った反射鏡を有する反射鏡アンテナ装置を得ることができる。
【００２２】
請求項３及び４に係る発明によれば、請求項１及び２の効果に加えて、反射鏡の中心部の面積を大きくすることが容易なので、より高い鏡面精度を保った反射鏡を有する反射鏡アンテナ装置を得ることができる。
【００２３】
請求項５に係る発明によれば、請求項４の効果に加え、一次放射器又は副鏡を支持するステーの固定が容易かつステーの固定部分が嵩張らない反射鏡アンテナ装置を得ることができる。
【００２４】
請求項６〜８に係る発明によれば、請求項５の効果に加え、より一次放射器又は副鏡を支持するステーの固定が容易かつ嵩張らない反射鏡アンテナ装置を得ることができる。
【００２５】
請求項９に係る発明によれば、請求項１〜８の効果に加え、より反射鏡の中心部の面積を大きくすることが容易な反射鏡アンテナ装置を得ることができる。
【００２６】
請求項１０及び１１に係る発明によれば、分割可能な反射鏡であっても、反射鏡の中心部の面積を大きくすることが容易なので、高い鏡面精度を保った反射鏡を有する反射鏡アンテナ装置を得ることができる。
【００２７】
請求項１２に係る発明によれば、請求項１０及び１１の効果に加え、端縁部同士が接続されているので、反射鏡の外形寄りの部分においても、高い鏡面精度を保った反射鏡を有する反射鏡アンテナ装置を得ることができる。
【００２８】
請求項１３に係る発明によれば、請求項１〜１２の効果に加え、第１屈曲状接続具及び第２屈曲状接続具により、中心部と端縁部との曲面に段差が生じる可能性が低い反射鏡アンテナ装置を得ることができる。
【００２９】
請求項１４に係る発明によれば、請求項１３の効果に加え、第１屈曲状接続具の構造が単純なものとすることができる反射鏡アンテナ装置を得ることができる。
【００３０】
請求項１５に係る発明によれば、請求項１３又は１４の効果に加え、第２屈曲状接続具の構造が単純なものとすることができる反射鏡アンテナ装置を得ることができる。
【図面の簡単な説明】
【００３１】
【図１】この発明の実施の形態１に係る反射鏡アンテナ装置の反射鏡の構成図である。
【図２】この発明の実施の形態１に係る反射鏡アンテナ装置の構成図である。
【図３】この発明の実施の形態１に係る反射鏡アンテナ装置の反射鏡の構成図である。
【図４】この発明の実施の形態１に係る反射鏡アンテナ装置の接続具による接続説明図である。
【図５】この発明の実施の形態１に係る反射鏡アンテナ装置の第１屈曲状接続具及び第２屈曲状接続具による接続説明図である。
【図６】この発明の実施の形態１に係る反射鏡アンテナ装置の第１屈曲状接続具及び第２屈曲状接続具による接続説明図である。
【図７】この発明の実施の形態２に係る反射鏡アンテナ装置の反射鏡の正面イメージ図である。
【図８】この発明の実施の形態２に係る反射鏡アンテナ装置の反射鏡の正面イメージ図である。
【図９】この発明の実施の形態２に係る反射鏡アンテナ装置の反射鏡の正面イメージ図である。
【図１０】この発明の実施の形態２に係る反射鏡アンテナ装置の反射鏡の正面イメージ図である。
【図１１】この発明の実施の形態２に係る反射鏡アンテナ装置の反射鏡の正面イメージ図である。
【発明を実施するための形態】
【００３２】
実施の形態１．
以下、この発明の実施の形態１について図１〜６を用いて説明する。図１（ａ）は反射鏡の鏡面（表面）側の構成図、図１（ｂ）は反射鏡の鏡面側と反対面（裏面）側の構成図、図２（ａ）は反射鏡アンテナ装置の正面図、図２（ａ）は反射鏡アンテナ装置の側面図、図３（ａ）は反射鏡の鏡面（表面）側の正面図、図３（ｂ）は反射鏡の鏡面の側面図、図３（ｃ）は図３（ａ）に記載の一点鎖線ＡＡによる反射鏡の断面図、図３（ｄ）は反射鏡の鏡面（裏面）側の正面図、図４（ａ）は接続具の斜視図、図４（ｂ）は接続具の側面図、図４（ｃ）は接続具の斜視図（変形例）、図５（ａ）は第１屈曲状接続具及び第２屈曲状接続具の側面図、図５（ｂ）は第１屈曲状接続具及び第２屈曲状接続具の斜視図（反射鏡の裏面）、図６（ａ）は第１屈曲状接続具及び第２屈曲状接続具の側面図、図６（ｂ）は第１屈曲状接続具及び第２屈曲状接続具の正面図（反射鏡の裏面）である。図中、同一符号は、同一又は相当部分を示しそれらについての詳細な説明は省略する。
【００３３】
図１〜６において、１は円環状又は概略円環状の外形を有する反射鏡アンテナ装置の一次放射器（副鏡を有する反射鏡アンテナ装置の場合は、一次放射器の位置に代わり副鏡１が配置される）、２は一次放射器１（副鏡）が焦点に配置された分割可能な反射鏡（主鏡）を構成し、一次放射器１（副鏡）と正対（対向）する位置に配置された一体の中心部、３は中心部２の外形に接続された複数の鏡面部材であって、鏡面部材の反射鏡の外形に相当する部分の長さ（実施の形態２で言及する長さｄ１）は、鏡面部材の隣り合う箇所の長さ（実施の形態２で言及する長さｄ２）よりも、長いものである複数の端縁部であり、複数の端縁部３は、隣り合う箇所が、反射鏡の鏡面側において、それぞれ接続具４（端縁−端縁接続具４）で接続されている。接続具４自体は、反射鏡の鏡面側に配置されるが、反射鏡の鏡面の反対面側にボルト４ａを固定するナット（図示省略）があってもよい。端縁部３は、実施の形態１のように、反射面の外周となる各辺の端部から辺の中心部分に向かって、中心部２側と反対側に張り出した形状（概略三角形）でもよいし、端縁部３は、実施の形態２のように、反射面の外周となる辺が円弧状でもよい。
【００３４】
この接続具４は、複数の端縁部３の隣り合う箇所をボルト４ａで固定する平板部分４ｂを有し、この平板部分４ｂから一次放射器１（副鏡）側に突出し、一次放射器１（副鏡）を支持するステー５がボルト４ｃで固定される突出部分４ｄを有している。なお、４ｅは接続具４（突出部分４ｄ）とステー５とを接続（固定）するためのボルト用のボルト穴（リーマピン穴）である。
【００３５】
図１〜６において、６は中心部２及び端縁部３を接続する中心−端縁接続具である。この中心−端縁接続具６は、第１屈曲状接続具６ａ及び第２屈曲状接続具６ｂで構成され、反射鏡の鏡面側と反対面側で、中心部２にボルト６ｃで固定された第１屈曲状接続具６ａと端縁部３にボルト６ｄで固定された第２屈曲状接続具６ｂとが固定されることで接続され、第１屈曲状接続具６ａ及び第２屈曲状接続具６ｂは、互いの側に向かって屈曲した部分同士がボルト６ｅで固定される。また、第１屈曲状接続具６ａは、中心部２上に起立して固定された第１板状部材７に、第２屈曲状接続具６ｂに向かって屈曲した部分と反対側が固定される。同じく、第２屈曲状接続具６ｂは、端縁部３上に起立して固定された第２板状部材８に、第１屈曲状接続具６ａに向かって屈曲した部分と反対側が固定される。９は反射鏡を支持する支持部材であり、方位角方向及び仰角方向などに反射鏡（アンテナ）を回動させる機構が設けられている。１０はカウンタウェイトである。１１は第１屈曲状接続具６ａと第２屈曲状接続具６ｂと高精度に位置決めするピンリーマ（リーマピン穴）である。接続具４と端縁部３との組立調整後に、接続具４と端縁部３とにリーマピン穴を同時加工する。ボルト４ａなどの各ボルトは、リーマボルトを用いることで、実施の形態１に係る反射鏡アンテナ装置の鏡面精度の再現性を高めることができる。
【００３６】
本願において、一次放射器１の位置に、副鏡１を配置する場合の一次放射器は、主鏡である反射鏡を構成する中心部２の近傍に配置してもよいし、主鏡である反射鏡の外周近傍に配置してもよい。つまり、本願に係る反射鏡アンテナ装置は、オフセットパラボラアンテナにも適用可能である。なお、副鏡１を反射鏡アンテナ装置に使用する場合、主鏡である反射鏡の外周近傍に一次放射器を配置し、この一次放射器をステー５により支持・固定してもよい。さらに、副鏡１は、凸面鏡であっても、凹面鏡であってもよい。つまり、本願に係る反射鏡アンテナ装置は、カセグレンアンテナ（副鏡１が凸面鏡）、グレゴリアンアンテナ（副鏡１が凹面鏡）にも適用可能である。
【００３７】
図１（ａ）及び図２（ａ）に示すように実施の形態１に係る反射鏡アンテナ装置は、反射鏡を構成し、一次放射器１（又は副鏡）と正対（対向）する位置に配置され、外周の各頂点の隣り合うもの同士を結んだ形状が多角形（この実施の形態１では四角形）である一体の中心部２と、この中心部２における外周の二つの頂点ごとにそれぞれ接続された複数の端縁部３とを備えていることが分かる。なお、中心部２は、換言すると、中心部２の外周が概略多角形（この実施の形態１では概略四角形）であるといえる。
【００３８】
また、中心部２は、各辺の端部から辺の中心部分に向かって、端縁部３側に張り出した形状である。次に、図１（ｂ）に示すように実施の形態１に係る反射鏡アンテナ装置の中心部２は、鏡面側と反対面（裏面）側に外周に沿って形成され、中心部２を裏面側から補強するリブ部２ｒ（中心部補強材）が形成されている。同じく、実施の形態１に係る反射鏡アンテナ装置の端縁部３（端縁部補強材）は、鏡面側と反対面（裏面）側に外周に沿って形成され、端縁部３を裏面側から補強するリブ部３ｒが形成されている。リブ部３ｒは、図１（ａ）（ｂ）及び図４（ａ）に示すように、接続具４によって接続されておる端縁部３の鏡面側と反対面（裏面）側を除いて形成してもよい。このようにすることで、端縁部２の厚みが薄くなるので、接続具４がボルト４ａによって固定しやすい。また、リブ部２ｒは、中心部２の裏面側において、外周の各頂点おける対角線上にも形成されている。
【００３９】
このような構成なので、実施の形態１に係る反射鏡アンテナ装置は、反射鏡（主鏡）の中心部２を一つのパネルで製作し、その周辺部の左右上下（中心部２の外形が概略四角形の場合）に取り付ける端縁部３で分割することにより、ビルの屋上など搬入困難な場所にも、エレベーター内に搬入することが可能な寸法の分割反射鏡を容易に得ることが可能となるので、ビルに備え付けのエレベーター以外の特殊な搬入機材が必要ない。
【００４０】
図１（ａ）及び図２（ａ）に示すように、複数の端縁部３は、中心部２の外周の各頂点にて隣り合う箇所がそれぞれ接続具４により鏡面側で接続されており、反射鏡が外周側に向かって撓むことを抑制しており、実施の形態１に係る反射鏡アンテナ装置における高い鏡面精度を維持している。接続具４は、反射鏡アンテナ装置の性能に影響が極めて低い鏡面の最外周に配置されている。さらに、接続具４は、反射鏡の鏡面側で、一次放射器１を支持するステー５が接続されているので、ステー５の支持による反射鏡アンテナ装置の性能面への影響も少ない（図２（ｂ））。図３（ａ）は、ステー５を外した状態の反射鏡を示している。
【００４１】
図１（ｂ）に示すように、中心部２と複数の端縁部３とは、それぞれ、中心−端縁接続具６で接続されている。図示されているように、端縁部３ごとに中心−端縁接続具６が四箇所に形成され、中心−端縁接続具６がリブ部２ｒ及びリブ部３ｂと接続することで、中心部２及び端縁部３を接続し、反射鏡を構成している。なお、中心−端縁接続具６を設ける箇所数は四箇所に限らない。リブ部２ｒ及びリブ部３ｒと中心−端縁接続具６との関係は、図３（ｂ）から図３（ｄ）に示すとおりである。
【００４２】
実施の形態１に係る反射鏡アンテナ装置は、複数の端縁部３が、中心部２と接続された辺と連続する辺における端縁部３同士が隣り合う箇所が接続された構成（端縁部３における中心部２と接続された辺と、この辺と連続する辺とは角度を持って連続しており、端縁部３の頂点となっている。この頂点同士が隣り合う端縁部３で対向している。また、この頂点同士が接続具４（平板部分４ｄ）により固定（接続）されている）となっているので、図２（ｂ）に示すように反射鏡（中心部２）の裏面（鏡面と反対側）に支持部材９及びカウンタウェイトを設けることで、レーダ装置などに使用される反射鏡アンテナ装置となる。レーダ装置の給電部は、一次放射器１を支持するステー５を反射鏡に固定するための接続具４から成されている。
【００４３】
続いて、接続具４とステー５との接続関係の詳細を説明する。図４（ａ）（ｂ）に示すように、接続具４は、複数の端縁部３における中心部の外周の各頂点にて隣り合う箇所を固定する平板部分４ｂを有し、平板部分４ｂから一次放射器１側に突出し、ステー５が固定される平板状の突出部分４ｄを有しているので、接続具４は、全体の外形がＴ字状となっている。突出部分４ｄには、ステー５を固定するボルト穴４ｅが穿たれている。なお、接続具４及びステー５は、一体であってもよい。
【００４４】
次に、接続具４とステー５との接続関係の詳細の変形例（接続具４は、反射鏡の鏡面の反対面側で、一次放射器１を支持するステー５が接続される例）を説明する。図４（ｃ）に示すように、接続具４は、反射鏡の鏡面の反対面側で、複数の端縁部３における中心部の外周の各頂点にて隣り合う箇所を固定する平板部分４ｂを有し、平板部分４ｂから前記反射鏡の側方に突出し、ステー５が固定される平板状の突出部分４ｄを有しているので、接続具４は、全体の外形がＴ字状となっている。突出部分４ｄには、ステー５を固定するボルト穴４ｅが穿たれている（図４（ｃ）では点線で図示）。なお、接続具４及びステー５は、一体であってもよい。また、この変形例で説明した接続具４及びステー５を側方から見ると、Ｌ字状を成しているともいえる（図示省略）。さらに、図４（ｃ）の例では、接続具４自体は、反射鏡の鏡面の反対面側に配置されるが、反射鏡の鏡面側にボルト４ａを固定するナット（図示省略）があってもよい。
【００４５】
このように、実施の形態１に係る反射鏡アンテナ装置は、ステー５の取り付け部である接続具４により端縁部３同士をつなぐことで、反射鏡の外周における円環剛性を高め、鏡面精度の再現性、自重変形に対し、優れた特性を容易に得ることができ、分解（分割）・組立の再現性も高い。また、ボルト４ａに、リーマピン穴にリーマボルト４ａを使用することで使用することで、さらに、分解（分割）・組立の再現性を向上させることができる。
【００４６】
次に、中心−端縁接続具６によって、実施の形態１に係る反射鏡アンテナ装置が、分割・分解と組立とが自在であっても、組立の容易性と高い鏡面精度の再現性があることを図５及び図６により説明する。具体的には、中心部２と端縁部３との接続に関する説明である。ここでは、一箇所の中心−端縁接続具６に関して説明するが、他の箇所でも同様である。図５(ａ)に示すように、中心部２の外周上又は中心部２の外周上に形成されたリブ部２ｒの曲面上に、第１板状部材７が起立した状態で固定されている。ここでは、接着により固定することを想定しているがこれに限るものではない。図５に図示するように、第１板状部材７は、板状部分の一端が９０°屈曲し、他端が一端側と反対側に９０°屈曲したＺ字状（クランクカーブ状）の外形を成しているので、第１板状部材７は第１Ｚ字状部材７ともいえる。この屈曲部分のいずれか一方を中心部２の外周上又は中心部２の外周上に形成されたリブ部２ｒの曲面上に固定しているので、第１板状部材７の板状部分は平面で、第１屈曲状接続具６ａをボルト６ｃで固定することができる。
【００４７】
同じく、図５(ａ)に示すように、端縁部３の外周上又は端縁部３の外周上に形成されたリブ部３ｒの曲面上に、第２板状部材８が起立した状態で固定されている。ここでは、接着により固定することを想定しているがこれに限るものではない。図５に図示するように、第２板状部材８は、板状部分の一端が９０°屈曲し、他端が一端側と反対側に９０°屈曲したＺ字状（クランクカーブ状）の外形を成しているので、第２板状部材８は第２Ｚ字状部材８ともいえる。この屈曲部分のいずれか一方を端縁部３の外周上又は端縁部３の外周上に形成されたリブ部３ｒの曲面上に固定しているので、第２板状部材８の板状部分は平面で、第２屈曲状接続具６ｂをボルト６ｄで固定することができる。なお、第１板状部材７（の板状部分）と第２板状部材８（の板状部分）とは、対向するように配置される。
【００４８】
このような関係となっているので、図５（ａ）（ｂ）に示すように、第１板状部材７に固定された第１屈曲状接続具６ａと、第２板状部材８に固定された第２屈曲状接続具６ｂとをボルト６ｅで固定することできる。第１板状部材７と第２板状部材８は、平行ではないが、第１屈曲状接続具６ａと第２屈曲状接続具６ｂと組んで、調整後、リーマピン穴を同時加工することで、本願に係る反射鏡アンテナ装置（反射鏡）の組立、調整、分解、再組立を簡単化している。図６は説明を簡略化するために、ボルト６ｅ及びそのボルト穴（長穴）を省略した図である。この図６を用いて、ピンリーマ１１（リーマピン穴１１）による効果である「反射鏡の直径方向における剛性を高め、鏡面精度の再現性、自重変形に対し、優れた特性を容易に得ることができ、高い分解（分割）・組立の再現性も得ることができる」ことを説明する。
【００４９】
第１板状部材７と第２板状部材８とは、それぞれ、中心部２と端縁部３との曲面上に固定されているので、図６（ａ）に示すように、第１屈曲状接続具６ａと第２屈曲状接続具６ｂとが平行とならない場合があるので、複数のボルト６ｅを取り付けるボルト穴をそれぞれ長穴（図示は省略する）とすることで、第１屈曲状接続具６ａと第２屈曲状接続具６ｂと確実に固定することができる。しかし、組立の際に、分解前の鏡面精度を維持できない可能があるので、第１屈曲状接続具６ａと第２屈曲状接続具６ｂとを一つの軸（第１屈曲状接続具６ａ及び第２屈曲状接続具６ｂ板状部分に対して垂直の軸（図６（ｂ））で位置合わせを行う必要がある。よって、その軸となる位置にリーマピン穴１１を穿ち、ピンリーマ１１を挿入して、第１屈曲状接続具６ａ（中心部２）と第２屈曲状接続具６ｂ（端縁部３）の位置決めを行うことで、精度が高い位置決めができる。その後、複数のボルト６ｅにより、第１板状部材７と第２板状部材８とを固定すればよい。
【００５０】
本願に係る反射鏡アンテナ装置における組立調整には、実施の形態１に係る反射鏡アンテナ装置は、必要とされる配置に中心部２及び端縁部３を配置することができる治具（特許文献５に記載の金型７０のようなもので、表面に鏡面側を接触させて中心部２及び端縁部３を載置することができるもの）を用いる。この治具に中心部２及び端縁部３を配置してから、中心部２と端縁部３と組んで、調整後（組立調整後）に、第１屈曲状接続具６ａと第２屈曲状接続具６ｂとに前述の軸となる位置にリーマピン穴１１を穿ち、ピンリーマ１１を挿入することで、高い配置の精度を製造時に得ることができるだけなく、分解後の再組立時にもその高い配置の精度を再現できることは明らかである。また、治具を利用して反射鏡を組立後で鏡面を加工することで高い鏡面精度も得ることも明らかである。
【００５１】
治具を使った実施の形態１に係る反射鏡アンテナ装置の反射鏡における最初の組立の際に、治具に中心部２及び端縁部３を載置した後で、中心部２と端縁部３とを中心−端縁接続具６により固定してもよい。これは、中心−端縁接続具６は、反射鏡の鏡面の反対側に配置されるからである。なお、リーマピン穴１１を穿ち、ピンリーマ１１を挿入することは、配置の精度を治具によって得てからであるので、治具に載置する前に、中心部２と端縁部３とを中心−端縁接続具６により固定する場合は、仮止め状態としておく必要がある。
【００５２】
一方、端縁−端縁接続具４（接続具４）は、反射鏡の鏡面側に配置する場合は、治具に設置後に、端縁部３同士を端縁−端縁接続具４により固定する場合は、治具の端部に、端縁−端縁接続具４を端縁部３に取り付けることが可能な切り欠きなどの干渉を避ける構成を設ける必要がある。もちろん、反射鏡の端縁部３の外周がはみ出すような治具を用いてもよい。治具に設置前に、端縁部３同士を端縁−端縁接続具４により固定する場合（仮止めを含む）は、治具に端縁−端縁接続具４やボルト４ａの逃げ穴を形成しておく必要がある。他方、端縁−端縁接続具４は、反射鏡（端縁部３）の最外周に配置され、反射鏡アンテナ装置における鏡面の有効箇所としての機能は低いので、治具による位置決め、又は、治具による位置決め及び鏡面加工の後に、端縁−端縁接続具４により端縁部３同士を固定してもよい。
【００５３】
このように、実施の形態１に係る反射鏡アンテナ装置は、中心部２と端縁部３をそれぞれの補強材であるリブ部２ｒとリブ部３ｒを第１屈曲状接続具６ａと第２屈曲状接続具６ｂでつないでいる。第２屈曲状接続具６ｂ又は第１屈曲状接続具６ａには予めボルト６ｅ用の長穴があり、補強材であるリブ部２ｒとリブ部３ｒの傾きの違いを吸収することが可能である。反射鏡の組立後は、第１屈曲状接続具６ａ、第２屈曲状接続具６ｂに「リーマピン穴１１を同時穴加工することによるピンリーマ１１」を用いた再組立で、鏡面精度の高い再現性を得ることが可能となる。
【００５４】
以上の説明のとおり、実施の形態１に係る反射鏡アンテナ装置は、反射鏡を構成し、一次放射器１（副鏡）と正対（対向）する位置に配置された一体の中心部２と、この中心部２の外形に接続された複数の端縁部とに関して、端縁部３同士を接続具（端縁−端縁接続具）４で接続し、中心部２と端縁部３とを中心−端縁接続具６（第１屈曲状接続具６ａ及び第２屈曲状接続具６ｂ）で接続することで、反射鏡を分割することによる反射鏡アンテナ装置としての電気特性の低下を軽減することができる。
【００５５】
実施の形態２．
この発明の実施の形態２について図７〜図１１を用いて説明する。実施の形態２では、実施の形態１と異なる点を説明し、共通する部分の説明は省略する。実施形態２では、本願に係る反射鏡アンテナ装置の中心部２において、外周が概略多角形でも多角形（正多角形も含む）でもよいことを説明する。なお、端縁部３の外形（反射鏡の外周に相当する部分）に関しても、実施の形態１で説明したとおり、実施の形態２では、円弧状であるものを用いて説明するが、実施の形態１で説明・図示したものでもよい。図７〜図１１は、中心部２及び端縁部３の位置関係を模式的に示したものである。実施に形態２に係る反射鏡アンテナ装置における他の構成は実施に形態１に係る反射鏡アンテナ装置と共通であるので図示を省略する。
【００５６】
図７（ａ）は中心部２の外周が概略四角形の反射鏡の正面イメージ図（実施の形態１に係る反射鏡アンテナ装置の反射鏡に相当する図）、図７（ｂ）は中心部２の外周が正四角形の反射鏡の正面イメージ図、図８（ａ）は中心部２の外周が概略三角形の反射鏡の正面イメージ図、図８（ｂ）は中心部２の外周が正三角形の反射鏡の正面イメージ図、図９（ａ）は中心部２の外周が概略五角形の反射鏡の正面イメージ図、図９（ｂ）は中心部２の外周が正五角形の反射鏡の正面イメージ図、図１０（ａ）は中心部２の外周が概略六角形の反射鏡の正面イメージ図、図１０（ｂ）は中心部２の外周が正六角形の反射鏡の正面イメージ図、図１１（ａ）は中心部２の外周が概略六角形（辺の長さ異なる）の反射鏡の正面イメージ図、図１１（ｂ）は中心部２の外周が六角形の反射鏡の正面イメージ図である。図中、同一符号は、同一又は相当部分を示しそれらについての詳細な説明は省略する。
【００５７】
実施の形態１に係る反射鏡アンテナ装置は、図７（ａ）に示すように、中心部２における外周の各頂点の隣り合うもの同士を結んだ形状が四角形（外周の形状が概略四角形）であるものを説明したが、本願に係る反射鏡アンテナ装置は、一次放射器１（副鏡）が焦点に配置された分割可能な反射鏡（主鏡）を構成し、一次放射器１（副鏡）と正対（対向）する位置に配置され、外周が多角形状の一体の中心部２と、反射鏡を構成し、中心部２の外周の辺にそれぞれ接続された複数の端縁部３とを備えておればよい。具体例として、図７（ｂ）の正四角形、図８（ｂ）の正三角形、図９（ｂ）の正五角形、図１０（ｂ）の正六角形、図１１（ｂ）の六角形が挙げられる。
【００５８】
このように、中心部２を多角形（正多角形）で構成する場合、辺の数が多いほど、中心部２の面積を大きくすることが可能となり、端縁部３の面積を小さくすることが可能となる。これは、精度が高い一枚のパネルの面積が大きくなるので、高い鏡面精度を得ることができることを意味する。なお、中心部２の辺の数と端縁部３とが一致するので、端縁部３の数が増えることにより、反射鏡アンテナ装置の接続具（端縁−端縁接続具）４や中心−端縁接続具６などの部品点数が増える。よって、求められる鏡面精度や部品点数によって、中心部２の形状を決定する必要があることはいうまでもない。また、図１１（ｂ）の六角形（辺の長さが２種類）の中心部２を選択すると、端縁部３を複数の大きさにすることができるので、分解・組立時の作業場所に応じた構造を選択できる。
【００５９】
もちろん、本願に係る反射鏡アンテナ装置の反射鏡における中心部２は、外周の各頂点の隣り合うもの同士を結んだ形状が多角形（外周の形状が概略多角形）でもよい。具体例として、図８（ａ）の概略三角形、図９（ａ）の概略五角形、図１０（ａ）の概略六角形、図１１（ａ）の概略六角形が挙げられる。図７（ａ）を含む図８（ａ）〜図１１（ａ）に示す概略多角形は、実際の外形（中心部２）が、各辺の端部から辺の中心部分に向かって、端縁部３側に張り出した形状であるが、逆の外形（中心部２）が、各辺の端部から辺の中心部分に向かって、中心部２の中心側（端縁部３側と反対側）に引っ込んだ形状でもよい。例えば、図９（ａ）に記載の中心部２（概略五角形）を、このような形状とした場合、中心部２の外形は、星型になる。
【００６０】
なお、実施の形態２に係る反射鏡アンテナ装置においても、実施の形態１と同様に、複数の端縁部３は、中心部２の外周の各頂点にて隣り合う箇所が接続具４で、それぞれ接続されている。この接続具４が形成されている場所の端縁部３（端縁部３同士が対向する部分）の長さがｄ２となる（図７（ａ）に例示している）。この長さｄ２（中心部２の外周の各頂点にて隣り合う箇所の端縁部３の長さ）は、反射鏡の外形に相当する部分の端縁部３の長さｄ１よりも短い。特に、ｄ１＞＞ｄ２であり、大幅にｄ１の方が長い。なお、長さｄ２は、接続具４により、端縁部３同士を接続できる程度の長さがあればよい。
【００６１】
ちなみに、長さｄ１は、中心部２の一辺の長さと同等若しくは若干長いものである。つまり、ｄ１≧（中心部２の一辺の長さ）＞＞ｄ２である。端縁部３は、このような構造であるので、鏡面の面積を小型とすることができ、中心部２の鏡面の面積を大きくすることができる。中心部２は、一枚（一体）のパネルで構成されているので、鏡面の面積が多くなればなるほど、高い精度を持った分割可能な反射鏡を有する反射鏡アンテナ装置を得ることができる。
【００６２】
以上の説明のとおり、実施の形態２に係る反射鏡アンテナ装置は、実施の形態１に係る反射鏡アンテナ装置と同様に、反射鏡を構成し、一次放射器１（副鏡）と正対（対向）する位置に配置された一体の中心部２と、この中心部２の外形に接続された複数の端縁部とに関して、端縁部３同士を接続具（端縁−端縁接続具）４で接続し、中心部２と端縁部３とを中心−端縁接続具６（第１屈曲状接続具６ａ及び第２屈曲状接続具６ｂ）で接続する構造を有している。そして、反射鏡アンテナ装置を輸送する手段や搬入するビルや建物などの施設に応じた分割構造を、中心部２及び端縁部２の形状や鏡面の面積を適宜選択することで、得ることができるので、反射鏡を分割することによる反射鏡アンテナ装置としての電気特性の低下を軽減することができるものである。
【符号の説明】
【００６３】
１・・一次放射器（副鏡に置換可能）、２・・中心部、２ｒ・・リブ部、３・・端縁部、３ｒ・・リブ部、４・・接続具（端縁−端縁接続具）、４ａ・・ボルト（リーマボルト）、４ｂ・・平板部分、４ｃ・・ボルト、４ｄ・・突出部分、４ｅ・・ボルト穴（リーマピン穴）、５・・ステー、６・・中心−端縁接続具、６ａ・・第１屈曲状接続具、６ｂ・・第２屈曲状接続具、６ｃ・・ボルト、６ｄ・・ボルト、６ｅ・・ボルト、７・・第１板状部材（第１Ｚ字状部材）、８・・第２板状部材（第２Ｚ字状部材）、９・・支持部材、１０・・カウンタウェイト、１１・・ピンリーマ（リーマピン穴）。
【図１】
2013121127.tif 000003
【図２】
2013121127.tif 000004
【図３】
2013121127.tif 000005
【図４】
2013121127.tif 000006
【図５】
2013121127.tif 000007
【図６】
2013121127.tif 000008
【図７】
2013121127.tif 000009
【図８】
2013121127.tif 000010
【図９】
2013121127.tif 000011
【図１０】
2013121127.tif 000012
【図１１】
2013121127.tif 000013